(57)【特許請求の範囲】
【請求項１】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、
を備えることを特徴とする読出し制御装置。
【請求項２】
前記読出し制御部は、それぞれの回の静止画用信号の読出し期間中に、動画用信号を読み出すための露光を行うよう制御する
ことを特徴とする請求項１に記載の読出し制御装置。
【請求項３】
前記静止画用信号の読出し期間よりも前のタイミングは、前記静止画用信号の読出し期間に対して時系列的に前に隣接する期間中であり、前記静止画用信号の読出し期間よりも後のタイミングは、前記静止画用信号の読出し期間に対して時系列的に後に隣接する期間中である
ことを特徴とする請求項１に記載の読出し制御装置。
【請求項４】
前記動画用信号は、動画用のリセット信号と動画用の光信号を含むものであり、
前記読出し制御部は、それぞれの回の前記静止画用信号の読出し期間よりも前のタイミングにおいては、前記第２の電荷蓄積部から前記動画用のリセット用信号を読み出す一方、それぞれの回の前記静止画用信号の読出し期間よりも後のタイミングにおいては、前記第２の電荷蓄積部から前記動画用の光信号を読み出すよう制御する
ことを特徴とする請求項１に記載の読出し制御装置。
【請求項５】
前記読出し制御部は、それぞれの回では、前記静止画用信号をフィールド毎に読み出すように前記読出し部を制御し、さらに、第ｍ回目（ｍは、１以上ｎ以下の整数）の前記静止画用信号の読出し期間中に、ある特定のフィールドの画素に設けられた前記第１の電荷蓄積部から前記静止画用信号を読み出す場合、当該第ｍ回目の前記静止画用信号の読出し期間よりも前または後のタイミングにおいては、当該特定のフィールドの画素に設けられた前記第２の電荷蓄積部から前記動画用信号を読み出すよう制御する
ことを特徴とする請求項１に記載の読出し制御装置。
【請求項６】
前記静止画用信号は、静止画用のリセット信号と光信号を含むものであり、
前記動画用信号は、動画用のリセット信号と動画用の光信号を含むものであり、
前記読出し制御部は、第１回目の前記静止画用の光信号の読出し期間よりも前のタイミングにおいて、前記動画用のリセット信号を読み出すよう制御する
ことを特徴とする請求項１に記載の読出し制御装置。
【請求項７】
前記第１回目の前記静止画用の光信号の読出し期間よりも前のタイミングは、前記静止画用信号の露光期間終了後から前記第１回目の前記静止画用信号の読出し期間の開始までの期間である
ことを特徴とする請求項６に記載の読出し制御装置。
【請求項８】
前記静止画用信号および前記動画用信号の読出し時には、複数の前記画素を一括露光するように制御する露光制御部
を備えることを特徴とする請求項１に記載の読出し制御装置。
【請求項９】
前記露光制御部は、前記静止画用信号の読出し時には全ての前記画素を一括露光し、前記動画用信号の読出し時には全ての前記画素よりも少ない前記画素を一括露光するよう制御する
ことを特徴とする請求項８に記載の読出し制御装置。
【請求項１０】
前記動画用信号は、動画用のリセット信号と動画用の光信号を含むものであり、
前記読出し制御部は、前記ｎ回に分けて行う前記静止画用信号の読出し期間の合間に、前記動画用のリセット信号と前記動画用の光信号を読み出すよう制御する
ことを特徴とする請求項１に記載の読出し制御装置。
【請求項１１】
前記画素は、前記静止画用信号および前記動画用信号を発生する光電変換部を含むものであり、
前記読出し制御部は、前記光電変換部から前記第１の電荷蓄積部への前記静止画用信号の転送と、前記光電変換部から前記第２の電荷蓄積部への前記動画用信号の転送とを時系列的に区分して行うよう制御する
ことを特徴とする請求項１に記載の読出し制御装置。
【請求項１２】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出す期間中において、動画用の露光を行うよう制御する読出し制御部と、
を備えることを特徴とする読出し制御装置。
【請求項１３】
前記読出し制御部は、前記第１の電荷蓄積部から前記静止画用信号をｎ回（ｎは２以上の整数）に分けて読み出す期間同士の合間に、前記第２の電荷蓄積部から前記動画用信号を読み出すよう制御する
ことを特徴とする請求項１２に記載の読出し制御装置。
【請求項１４】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、
前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御ステップと、
を含むことを特徴とする読出し制御方法。
【請求項１５】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、
前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御ステップと、
をコンピュータに実行させるためのプログラム。
【請求項１６】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、
前記第１の電荷蓄積部から前記静止画用信号をｎ回（ｎは２以上の整数）に分けて読み出す期間中において、動画用の露光を行うよう制御する読出し制御ステップと、
を含むことを特徴とする読出し制御方法。
【請求項１７】
撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、
前記第１の電荷蓄積部から前記静止画用信号をｎ回（ｎは２以上の整数）に分けて読み出す期間中において、動画用の露光を行うよう制御する読出し制御ステップと、
をコンピュータに実行させるためのプログラム。
【請求項１８】
複数の電荷蓄積部を備えた画素を複数有する画素部と、
前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、
を備えることを特徴とする撮像装置。
【請求項１９】
複数の電荷蓄積部を備えた画素を複数有する画素部と、
前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出す期間中において、動画用の露光を行うよう制御する読出し制御部と、
を備えることを特徴とする撮像装置。
【請求項２０】
複数の電荷蓄積部を備えた画素を複数有する画素部と、
前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、
を備えることを特徴とする固体撮像装置。
【請求項２１】
複数の電荷蓄積部を備えた画素を複数有する画素部と、
前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、
前記第１の電荷蓄積部から前記静止画用信号をｎ回（ｎは２以上の整数）に分けて読み出す期間中において、動画用の露光を行うよう制御する読出し制御部と、
を備えることを特徴とする固体撮像装置。
【発明の詳細な説明】
【技術分野】
【０００１】
本発明は、読出し制御装置、読出し制御方法、プログラム、撮像装置および固体撮像装置に関する。
【背景技術】
【０００２】
デジタルカメラやデジタルビデオカメラ等の撮像装置には、光学像を電気信号に変換する撮像素子が搭載されているが、この撮像素子は、近年、ＣＣＤ（Ｃｈａｒｇｅ  Ｃｏｕｐｌｅｄ  Ｄｅｖｉｃｅ、電荷結合素子）からＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化膜半導体）へとマーケットシェアーが移行しつつある。
【０００３】
撮像装置に搭載されているＣＭＯＳ等のＭＯＳ型撮像素子は、撮像面に２次元状に配列された多数の画素の電荷を順次読み出すようになっているが、電荷を順次読み出す方式では露光開始時刻および露光終了時刻が画素毎に（あるいはライン毎に）異なることになり、画像に歪みが生じてしまう。そこで、全画素の露光開始時刻を同一にし、かつ全画素の露光終了時刻を同一にすることができるように（つまり、グローバルシャッタによる制御が可能となるように）構成されたＭＯＳ型撮像素子が知られている。このＭＯＳ型撮像素子は、露光量に応じた信号を発生させるフォトダイオード等の光電変換部を備えるとともに、光電変換部において発生した信号電荷を一時的に蓄積する信号蓄積部を備え、さらに、電荷の転送やリセットを行う際にスイッチとして機能するトランジスタ等を備えた構成となっている。
【０００４】
このような撮像素子の画素の構成の一例として、図７に示すような、１画素内に５つのトランジスタが設けられた構成が知られている。図７は、従来知られている画素の回路構成を示した回路図である。図示する例では、信号蓄積部ＦＤを画素内メモリとして利用して、グローバルシャッタによる制御を可能とするものとなっている。この撮像素子をデジタルカメラに用いる場合に、ＫＴＣノイズ（リセットノイズ）を抑圧するために、以下のようなシーケンスにより駆動させる技術が知られている（例えば、特許文献１参照）。
【０００５】
（１）信号蓄積部ＦＤをトランジスタＭｒによりリセットし、増幅トランジスタＭａと選択トランジスタＭｓとを介してリセットデータをライン毎に順次走査して読み出し、記憶しておく。
（２）全画素の光電変換部ＰＤを、排出トランジスタＭｆにより一括してリセットし、所定の露光時間が経過した後に、光電変換部ＰＤの画素データを、転送トランジスタＭｔを介して一括して信号蓄積部ＦＤへ転送する。
（３）信号蓄積部ＦＤへ転送された画素データを、増幅トランジスタＭａと選択トランジスタＭｓとを介してライン毎に順次走査して読み出し、（１）において記憶しておいたリセットデータを減算する（差分をとる）。
【先行技術文献】
【特許文献】
【０００６】
【特許文献１】特開２００５−６５１８４号公報
【発明の概要】
【発明が解決しようとする課題】
【０００７】
しかしながら、上述したようなシーケンスで撮像素子を駆動した場合には、画像を得るための一連の動作中にライブビュー(画像表示)の更新を行うことができず、同一の画像が表示部に表示され続けたり、あるいは表示部がブラックアウトして画像が表示されないなどの現象が発生してしまうという問題がある。
【０００８】
本発明は上記の問題を解決するためになされたものであり、画像を得るための一連の動作中に、ライブビュー用の画像の更新を行うことができる読出し制御装置、読出し制御方法、プログラム、撮像装置および固体撮像装置を提供することを目的とする。
【課題を解決するための手段】
【０００９】
本発明のある態様に係る読出し制御装置は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、を備える。
【００１０】
また、本発明のある態様に係る読出し制御装置は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出す期間中において、動画用の露光を行うよう制御する読出し制御部と、を備える。
【００１３】
また、本発明のある態様に係る読出し制御方法は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御ステップと、を含む
【００１４】
また、本発明のある態様に係るプログラムは、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御ステップと、をコンピュータに実行させる。
【００１５】
また、本発明のある態様に係る読出し制御方法は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、前記第１の電荷蓄積部から前記静止画用信号をｎ回（ｎは２以上の整数）に分けて読み出す期間中において、動画用の露光を行うよう制御する読出し制御ステップと、を含む。
【００１６】
また、本発明のある態様に係るプログラムは、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出しステップと、前記第１の電荷蓄積部から前記静止画用信号をｎ回（ｎは２以上の整数）に分けて読み出す期間中において、動画用の露光を行うよう制御する読出し制御ステップと、をコンピュータに実行させる。
【００１７】
また、本発明のある態様に係る撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、を備える。
【００１８】
また、本発明のある態様に係る撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出す期間中において、動画用の露光を行うよう制御する読出し制御部と、を備える。
【００１９】
また、本発明のある態様に係る固体撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御部と、を備える。
【００２０】
また、本発明のある態様に係る固体撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し部と、前記第１の電荷蓄積部から前記静止画用信号をｎ回（ｎは２以上の整数）に分けて読み出す期間中において、動画用の露光を行うよう制御する読出し制御部と、を備える。
【図面の簡単な説明】
【００２１】
【図１】本発明の一実施形態における撮像装置の構成を示したブロック図である。
【図２】本実施形態における撮像部の構成を示した概略図である。
【図３】本実施形態における画素の回路構成を示した回路図である。
【図４】本実施形態における撮像素子のグローバルシャッタ動作の動作タイミングを示すタイミングチャートである。
【図５】本実施形態において、画素を３つのフィールドに分けた場合のフィールドの例を示した概略図である。
【図６】本実施形態において、静止画撮影中にライブビュー用の画像撮影を行う場合における、撮像素子のグローバルシャッタ動作の動作タイミングを示すタイミングチャートである。
【図７】従来知られている画素の回路構成を示した回路図である。
【発明を実施するための形態】
【００２２】
以下、本発明の一実施形態について図面を参照して説明する。これから説明する内容には、例示のために特定の詳細な内容が多く含まれるが、これらの詳細な内容に様々な変更を加えても、本発明の範囲を超えないことは当業者であれば当然のことと判断することができる。従って、これから説明する本発明の一実施形態は、権利請求された発明に対して、一般性を失わせることなく、また、何ら限定することもないものである。
【００２３】
図１は、本実施形態における撮像装置１０の構成を示したブロック図である。撮像装置１０は、デジタルカメラの他、デジタルビデオカメラ、内視鏡などの電子機器に搭載することが可能である。図示する例では、撮像装置１０は、レンズ１と、撮像部２と、画像処理部３と、表示部４と、駆動制御部６と、レンズ制御部７と、カメラ制御部８と、カメラ操作部９とを備えている。図１にはメモリーカード５も示しているが、このメモリーカード５は撮像装置に対して着脱可能に構成されているため、撮像装置１０に固有の構成でなくても構わない。なお、請求項に係る固体撮像装置は、例えば、撮像部２に対応する。
【００２４】
レンズ１は、被写体の光学像を撮像部２の撮像素子（後述）の撮像面に結像するための撮影レンズである。撮像部２は、レンズ１より結像された被写体の光学像を光電変換してデジタル信号に変換してから画像信号として出力するものである。画像処理部３は、撮像部２から出力される画像信号に種々のデジタル的な画像処理を施すものである。この画像処理部３は、画像信号（画像データ）を記録用に処理する第１画像処理部３ａと、画像信号を表示用に処理する第２画像処理部３ｂとを備えている。表示部４は、画像処理部３の第２画像処理部３ｂにより表示用に画像処理された画像信号に基づき、画像を表示するものである。この表示部４は、静止画像を再生表示することができると共に、被撮像範囲をリアルタイムに表示するライブビュー（ＬＶ）表示を行うことができるようになっている。
【００２５】
メモリーカード５は、第１画像処理部３ａにより記録用に画像処理された画像信号を保存するための記録媒体である。駆動制御部６は、カメラ制御部８からの指令に基づいて、撮像部２の動作を制御するものである。レンズ制御部７は、カメラ制御部８からの指令に基づいてレンズの絞り、焦点位置を制御するものである。カメラ制御部８は、撮像装置１０が備える各部を制御するものである。カメラ操作部９は、撮像装置１０に対する各種の操作入力を行うためのものであり、例えば、撮像装置１０の電源をオンオフするための電源スイッチや、静止画撮影を指示するためのレリーズボタンや、静止画撮影モードを単写モードと連写モードに切り替えるための静止画撮影モードスイッチなどが挙げられる。
【００２６】
次に、撮像部２の構成について説明する。図２は本実施形態における撮像部２の構成を示した概略図である。図示する例では、撮像部２は、ＭＯＳ型の固体撮像素子である撮像素子２１と、ＡＤ変換部２２と、ノイズ除去部２３とを備えている。ここに示す各ブロックは、ハードウェア的には、コンピュータのＣＰＵやメモリをはじめとする素子で実現でき、ソフトウェア的にはコンピュータプログラム等によって実現できるが、ここではそれらの連携によって実現される機能ブロックとして記載している。従って、これらの機能ブロックは、ハードウェアおよびソフトウェアの組み合わせによって様々な形式で実現できることは、当業者であれば当然のことと判断することができる。
【００２７】
撮像素子２１は、画素２８を備える画素部２４と、列処理回路２５と、垂直制御回路２６と、水平走査回路２７とから構成されている。なお、請求項に係る読出し制御部および露光制御部は、例えば、垂直制御回路２６に対応する。また、請求項に係る読出し部は、例えば、水平走査回路２７に対応する。また、請求項に係る読出し制御装置は、例えば、垂直制御回路２６と水平走査回路２７とを含む装置に対応する。
【００２８】
撮像素子２１は、画素２８の電荷の蓄積動作を全画素一括に制御するグローバルシャッタモードで行えるものである。なお、画素２８の電荷の蓄積動作を行毎に制御するローリングシャッタモードを有していても良い。
【００２９】
画素部２４は、複数の画素２８が行方向および列方向に２次元状に配列されている。垂直制御回路２６は、画素部２４の画素２８に対して行単位で画素動作を制御する信号を印加するものであり、垂直走査回路と、リセット制御部と、信号読出し制御部とを含んでいる。この垂直制御回路２６により選択制御された行の画素２８の画素信号は、列毎に設けられている垂直信号線ＲｅａｄＢｕｓ（図３参照）へ出力されるようになっている。列処理回路２５は、垂直信号線ＲｅａｄＢｕｓに出力された画素信号を列毎に処理するものであり、例えば、増幅動作や撮像素子をローリングシャッタ動作させた時のノイズ除去のためのＣＤＳ（Ｃｏｒｒｅｌａｔｅｄ  Ｄｏｕｂｌｅ  Ｓａｍｐｌｉｎｇ、相関２重サンプリング）処理を行うものである。水平走査回路２７は、列処理回路２５の出力を水平方向の並びの順で時系列に出力するものである。
【００３０】
ＡＤ変換部２２は、撮像素子２１から出力されるアナログの画素信号をデジタルの画素信号に変換するものである。なお、列処理回路２５がＡＤ変換回路を有している場合、ＡＤ変換回路２２は不要となることは言うまでもない。ノイズ除去部２３は、撮像素子２１がグローバルシャッタにより動作するときに、ＡＤ変換部２２から出力されるデジタルの画素信号に対してノイズ除去の処理を行うものである。
【００３１】
次に、画素２８の構成について説明する。図３は本実施形態における画素２８の回路構成を示した回路図である。光電変換部ＰＤは受光した光に応じた信号電荷を生成する。ここでは、光電変換部ＰＤの例としてフォトダイオードを示している。電荷転送部Ｍｔｘ１，Ｍｔｘ２は、光電変換部ＰＤが生成した信号電荷を後段の電荷蓄積部ＦＤ１，ＦＤ２へ転送可能な構成である。
【００３２】
電荷蓄積部ＦＤ１，ＦＤ２は、光電変換部ＰＤが生成した信号電荷を保持可能な構成となっている。増幅部ＳＦ１，ＳＦ２は、電荷蓄積部ＦＤ１，ＦＤ２に蓄積された信号電荷に基づく信号を増幅して外部へ読み出す。ここでは、増幅部ＳＦ１，ＳＦ２の例として、ＲｅａｄＢｕｓに接続されている電流源とから構成されるＭＯＳトランジスタを用いたソースフォロワ回路を示している。リセット部Ｍｒ１，Ｍｒ２は、電荷蓄積部ＦＤ１，ＦＤ２に基準電圧を供給可能な構成となっている。選択部Ｍｂ１，Ｍｂ２は、各画素を選択して画素ごともしくは画素行ごとに信号を外部へ読出し可能な構成である。電荷排出部Ｍｆｔは、光電変換部ＰＤの電荷を排出することができる。例えば、電荷排出部ＭｆｔとしてはＭＯＳトランジスタを用いることができる。この場合には、光電変換部ＰＤの一部を構成する信号電荷と同極性の半導体領域をソースとし、電源電圧が供給された半導体領域（オーバーフロードレイン領域、ＯＦＤ領域）をドレインとした構成となっている。
【００３３】
本実施形態の特徴としては、画素２８は、１画素につき１つの光電変換部ＰＤと、１つの電荷排出部Ｍｆｔと、２つの電荷転送部Ｍｔｘ１，Ｍｔｘ２と、２つの電荷蓄積部ＦＤ１，ＦＤ２と、２つの増幅部ＳＦ１，ＳＦ２と、２つの選択部Ｍｂ１，Ｍｂ２と、２つのリセット部Ｍｒ１，Ｍｒ２とを備えている。そして、垂直制御回路２６は、水平走査回路２７が、電荷蓄積部ＦＤ１から静止画用データを複数回に分けて読み出すように制御する。また、垂直操作回路２６は、水平走査回路２７が、電荷蓄積部ＦＤ２から動画用データを読み出すよう制御する。
【００３４】
この構成により、光電変換部ＰＤが静止画用に露光して生成した信号電荷を電荷蓄積部ＦＤ１に転送した後では、電荷蓄積部ＦＤ１から信号を外部に読み出す前に光電変換部ＰＤを動画用に露光しても静止画用の信号電荷には影響が及ばない。そのため、静止画撮影中に動画用の画像の撮影を行うことができる。静止画撮影中に動画用の画像の撮影を行う動作手順については後述する（図６参照）。
【００３５】
なお、図３においては、電荷転送部Ｍｔ１と、電荷蓄積部ＦＤ１と、リセット部Ｍｒ１と、増幅部ＳＦ１と、選択部Ｍｂ１とからなる、光電変換部ＰＤの信号を出力する回路を画素内回路２８１としている。また、電荷転送部Ｍｔ２と、電荷蓄積部ＦＤ２と、リセット部Ｍｒ２と、増幅部ＳＦ２と、選択部Ｍｂ２とからなる、光電変換部ＰＤの信号を出力する回路を画素内回路２８２としている。なお、請求項に係る第１の電荷蓄積部は、例えば、電荷蓄積部ＦＤ１に対応する。また、請求項に係る第２の電荷蓄積部は、例えば、電荷蓄積部ＦＤ２に対応する。
【００３６】
次に、撮像部２の動作について説明する。撮像部２が備える撮像素子２１は、グローバルシャッタ動作が可能である。以下、撮像素子２１のグローバルシャッタ動作について説明する。
【００３７】
図４（ａ）は、リセット信号読出し期間および光信号読出し期間に、一行目の画素２８からｎ行目の画素２８まで順にリセット信号（画素信号）および光信号（画素信号）の読出しを行った場合における、撮像素子２１のグローバルシャッタ動作の動作タイミングを示すタイミングチャートである。図示する例は、画素内回路２８１を用いて光電変換部ＰＤの信号を出力する場合の動作を示した例である。なお、画素内回路２８２でも同様の動作を行うことができる。
【００３８】
図示するタイミングチャートの横軸は時間を示している。また、縦方向は、画素部２４に配列された画素２８を１行目からｎ行目（最終行）までを順次選択して、その画素の信号を出力する様子を示している。また、信号線ＴＸ１および信号線ＦＴに印加される信号のタイミングについては、画素部２４の全画素２８の信号線ＴＸ１および信号線ＦＴに同時に印加される信号のタイミングのみを示している。
【００３９】
グローバルシャッタ動作による光信号蓄積（露光）を行う前の、リセット信号読出し期間においては、垂直制御回路２６の制御により、水平走査回路２７は電荷蓄積部ＦＤ１のリセット信号（リセットレベル）の読出しを行う。この期間では、先ず、垂直制御回路２６は、画素部２４の第１行目に配列された各画素２８のトランジスタＭｒ１に、信号線ＲＳＴ１からリセットパルスを印加して、第１行目の電荷蓄積部ＦＤ１のリセットを行う。さらに、垂直制御回路２６は、第１行目の各画素２８の選択トランジスタＭｂ１に信号線ＳＥＬ１から選択パルスを印加して、電荷蓄積部ＦＤ１から垂直信号線ＲｅａｄＢｕｓにリセット信号を出力させる。このリセット信号は、列処理回路２５と、水平走査回路２７と、ＡＤ変換部２２とを介してノイズ除去部２３に読み出されて記憶される。このような動作を画素部２４の第１行目から第ｎ行目（最終行）まで行うことで、リセット信号読出し期間が終了する。
【００４０】
次に、垂直制御回路２６は、信号線ＦＴを介して全画素２８の電荷排出部Ｍｆｔを同時にオンすることにより、全画素２８の光電変換部ＰＤを一括リセットし、その後、全画素２８の電荷排出部Ｍｆｔを同時にオフすることにより、光電変換部ＰＤの露光（信号電荷の蓄積）を開始する。露光を開始してから所定の露光期間が経過したところで、垂直制御回路２６は、信号線ＴＸ１を介して全画素２８の電荷転送部Ｍｔｘ１に転送パルスを同時に印加することにより、露光期間中に光電変換部ＰＤに蓄積された信号電荷を電荷蓄積部ＦＤ１に一括で転送する。つまり全画素２８の露光が同時に終了する。
【００４１】
その後、光信号読出し期間に入り、垂直制御回路２６は、第１行目の各画素２８の選択トランジスタＭｂ１に信号線ＳＥＬ１から選択パルスを印加して、電荷蓄積部ＦＤ１から垂直信号線ＲｅａｄＢｕｓに光信号（信号レベル）を出力させる。この光信号は、列処理回路２５と、水平走査回路２７と、ＡＤ変換部２２とを介してノイズ除去部２３に読み出される。ノイズ除去部２３では、読み出された電荷蓄積部ＦＤ１の光信号と、リセット信号読出し期間に記憶された電荷蓄積部ＦＤ１のリセット信号との差分処理が行なわれ、ノイズが除去された光信号が画像信号として画像処理部へ出力される。以上の動作を画素部２４の第１行目から第ｎ行目（最終行）までの画素２８に対して行うことで、光信号読出し期間が終了し、１枚のグローバルシャッタ動作時の画像信号が画像処理部３へ出力される。
【００４２】
図４（ｂ）は、リセット信号読出し期間および光信号読出し期間に、フィールド毎に各信号の読出しを行った場合における、撮像素子２１のグローバルシャッタ動作のタイミングを示すタイミングチャートである。図示する例は、画素２８を３つのフィールドに分けた場合の動作タイミングの例を示している。
【００４３】
図５は、本実施形態において、画素２８を３つのフィールドに分けた場合のフィールドの例を示した概略図である。図示する例では、画素部２４に配列されている画素２８のうち、１行目、４行目、７行目、・・・、（３ｍ−２）行目の画素２８からなる画素群を第１フィールド（ｆ−Ａ）とし、２行目、５行目、８行目、・・・、（３ｍ−１）行目の画素２８からなる画素群を第２フィールド（ｆ−Ｂ）とし、３行目、６行目、９行目、・・・、３ｍ行目の画素からなる画素群を第３フィールド（ｆ−Ｃ）とした場合を示している（ｍは１以上の整数）。
【００４４】
以下、図４（ｂ）の説明に戻る。図４（ｂ）に示した例は、図４（ａ）に示した例と異なり、リセット信号読出し期間と光信号読出し期間において、それぞれ、第１フィールド（ｆ−Ａ）、第２フィールド（ｆ−Ｂ）、第３フィールド（ｆ−Ｃ）の順に、各フィールドに含まれる画素２８からリセット信号および光信号の読出しを行う例を示している。すなわち、図４（ａ）に示した例と図４（ｂ）に示した例とでは、画素２８からリセット信号および光信号を読み出す順番が異なるだけである。このように、グローバルシャッタ動作においては、画素部２４に配列された画素２８からリセット信号および光信号を読み出す順番は、必ずしも１行目から最終行まで順に読み出す必要はない。
【００４５】
次に、撮像装置１０の動作について説明をする。図６は、本実施形態において、静止画撮影中にライブビュー用の画像（動画）撮影を行う場合における、撮像素子２１のグローバルシャッタ動作の動作タイミングを示したタイミングチャートである。図示するタイミングチャートにおいては、図４（ｂ）に示した例と同様に、画素２８を第１フィールド（ｆ−Ａ）〜第３フィールド（ｆ−Ｃ）の３つのフィールドに分けて、第１フィールド（ｆ−Ａ）、第２フィールド（ｆ−Ｂ）、第３フィールド（ｆ−Ｃ）の順に、各フィールドに含まれる画素２８からリセット信号および光信号の読出しを行う例を示している。
【００４６】
まず、静止画用信号の読出し手順について説明する。静止画用信号は、静止画用のリセット信号と、静止画用の光信号とを含むものである。なお、本実施形態では、画素内回路２８１を用いて静止画用信号を取得する。
【００４７】
垂直制御回路２６の制御により、水平走査回路２７は、期間Ｔ２において、第１フィールド（ｆ−Ａ）に含まれる画素２８の画素内回路２８１からリセット信号を読み出す。また、垂直制御回路２６の制御により、水平走査回路２７は、期間Ｔ５において、第２フィールド（ｆ−Ｂ）に含まれる画素２８の画素内回路２８１からリセット信号を読み出す。また、垂直制御回路２６の制御により、水平走査回路２７は、期間Ｔ８において、第３フィールド（ｆ−Ｃ）に含まれる画素２８の画素内回路２８１からリセット信号を読み出す。これにより、全画素２８の静止画用リセット信号を取得する。
【００４８】
期間Ｔ１０は静止画露光期間であり、垂直制御回路２６は、全画素２８の信号線ＦＴにパルスを印加し、全画素２８の光電変換部ＰＤを同時にリセットして露光を開始する。そして、所定の時間経過後、垂直制御回路２６は、全画素２８の信号線ＴＸ１にパルスを印加し、全画素２８の光電変換部ＰＤが露光中に蓄積した信号電荷を電荷保持部ＦＤ１へ一斉に転送させ、静止画用露光期間を終了する。
【００４９】
また、垂直制御回路２６の制御により、水平走査回路２７は、期間Ｔ１２において、第１フィールド（ｆ−Ａ）に含まれる画素２８の画素内回路２８１から光信号を読み出す。また、垂直制御回路２６の制御により、水平走査回路２７は、期間Ｔ１５において、第２フィールド（ｆ−Ｂ）に含まれる画素２８の画素内回路２８１からリセット信号を読み出す。また、垂直制御回路２６の制御により、水平走査回路２７は、期間Ｔ１８において、第３フィールド（ｆ−Ｃ）に含まれる画素２８の画素内回路２８１からリセット信号を読み出す。これにより、全画素２８の静止画用光信号を取得する。上述した手順によりグローバルシャッタ動作での静止画用信号の読出しを行う。
【００５０】
次に、動画用信号の読出し手順について説明する。動画用信号は、動画用のリセット信号と、動画用の光信号とを含むものである。なお、本実施形態では、画素内回路２８２を用いて動画用信号を取得する。
【００５１】
垂直制御回路２６の制御により、水平走査回路２７は、第１フィールド（ｆ−Ａ）に含まれる画素２８の画素内回路２８１から静止画用リセット信号または静止画用光信号の読出しを行う期間Ｔ２，Ｔ１２の前後において、第１フィールド（ｆ−Ａ）に含まれる画素２８の画素内回路２８２から動画用信号の読出しを行う。また、垂直制御回路２６の制御により、水平走査回路２７は、第２フィールド（ｆ−Ｂ）に含まれる画素２８の画素内回路２８１から静止画用リセット信号または静止画用光信号の読出しを行う期間Ｔ５，Ｔ１５の前後において、第２フィールド（ｆ−Ｂ）に含まれる画素２８の画素内回路２８２から動画用信号の読出しを行う。また、垂直制御回路２６の制御により、水平走査回路２７は、第３フィールド（ｆ−Ｃ）に含まれる画素２８の画素内回路２８１から静止画用リセット信号または静止画用光信号の読出しを行う期間Ｔ８，Ｔ１８の前後において、第３フィールド（ｆ−Ｃ）に含まれる画素２８の画素内回路２８２から動画用信号の読出しを行う。
【００５２】
具体的には、垂直制御回路２６の制御により、水平走査回路２７は、期間Ｔ２よりも前の期間Ｔ１において、第１フィールド（ｆ−Ａ）に含まれる画素２８の画素内回路２８２よりリセット信号の読出しを行う。続いて、垂直制御回路２６は、期間Ｔ２において、第１フィールド（ｆ−Ａ）に含まれる画素２８の信号線ＦＴにパルスを印加し、第１フィールド（ｆ−Ａ）に含まれる画素２８の光電変換部ＰＤを同時にリセットして露光を開始する。そして、所定の時間経過後、垂直制御回路２６は、第１フィールド（ｆ−Ａ）に含まれる画素２８の信号線ＴＸ２にパルスを印加し、第１フィールド（ｆ−Ａ）に含まれる画素２８の光電変換部ＰＤが露光中に蓄積した信号電荷を、画素内回路２８２の電荷保持部ＦＤ２へ一斉に転送させ、動画用露光期間を終了する。続いて、垂直制御回路２６の制御により、水平走査回路２７は、期間Ｔ２よりも後の期間Ｔ３において、第１フィールド（ｆ−Ａ）に含まれる画素２８の電荷保持部ＦＤ２より光信号の読出しを行う。
【００５３】
また、垂直制御回路２６の制御により、水平走査回路２７は、期間Ｔ５よりも前の期間Ｔ４において、第２フィールド（ｆ−Ｂ）に含まれる画素２８の画素内回路２８２よりリセット信号の読出しを行う。続いて、垂直制御回路２６は、期間Ｔ５において、第２フィールド（ｆ−Ｂ）に含まれる画素２８の信号線ＦＴにパルスを印加し、第２フィールド（ｆ−Ｂ）に含まれる画素２８の光電変換部ＰＤを同時にリセットして露光を開始する。そして、所定の時間経過後、垂直制御回路２６は、第２フィールド（ｆ−Ｂ）に含まれる画素２８の信号線ＴＸ２にパルスを印加し、第２フィールド（ｆ−Ｂ）に含まれる画素２８の光電変換部ＰＤが露光中に蓄積した信号電荷を、画素内回路２８２の電荷保持部ＦＤ２へ一斉に転送させ、動画用露光期間を終了する。続いて、垂直制御回路２６の制御により、水平走査回路２７は、期間Ｔ５よりも後の期間Ｔ６において、第２フィールド（ｆ−Ｂ）に含まれる画素２８の電荷保持部ＦＤ２より光信号の読出しを行う。
【００５４】
また、垂直制御回路２６の制御により、水平走査回路２７は、期間Ｔ８よりも前の期間Ｔ７において、第３フィールド（ｆ−Ｃ）に含まれる画素２８の画素内回路２８２よりリセット信号の読出しを行う。続いて、垂直制御回路２６は、期間Ｔ８において、第３フィールド（ｆ−Ｃ）に含まれる画素２８の信号線ＦＴにパルスを印加し、第３フィールド（ｆ−Ｃ）に含まれる画素２８の光電変換部ＰＤを同時にリセットして露光を開始する。そして、所定の時間経過後、垂直制御回路２６は、第３フィールド（ｆ−Ｃ）に含まれる画素２８の信号線ＴＸ２にパルスを印加し、第３フィールド（ｆ−Ｃ）に含まれる画素２８の光電変換部ＰＤが露光中に蓄積した信号電荷を、画素内回路２８２の電荷保持部ＦＤ２へ一斉に転送させ、動画用露光期間を終了する。続いて、垂直制御回路２６の制御により、水平走査回路２７は、期間Ｔ８よりも後の期間Ｔ９において、第３フィールド（ｆ−Ｃ）に含まれる画素２８の電荷保持部ＦＤ２より光信号の読出しを行う。
【００５５】
このように、第１フィールド（ｆ−Ａ）〜第３フィールド（ｆ−Ｃ）に含まれる画素２８の画素内回路２８１から動画用信号の静止画用リセット信号を読み出す期間Ｔ２，Ｔ５，Ｔ８の前後の期間を用いて、第１フィールド（ｆ−Ａ）〜第３フィールド（ｆ−Ｃ）に含まれる画素２８の画素内回路２８２から動画用信号を読み出す。同様に、第１フィールド（ｆ−Ａ）〜第３フィールド（ｆ−Ｃ）に含まれる画素２８の画素内回路２８１から動画用信号の静止画用光信号を読み出す期間Ｔ１２，Ｔ１５，Ｔ１８の前後の期間を用いて、第１フィールド（ｆ−Ａ）〜第３フィールド（ｆ−Ｃ）に含まれる画素２８の画素内回路２８２から動画用信号を読み出す。
【００５６】
上述したとおり、本実施形態では、読出し部が、撮像素子上に配置された各画素内に設けられた複数の電荷蓄積部のうちの第１の電荷蓄積部から静止画用信号を読み出す一方、複数の電荷蓄積部のうちの第２の電荷蓄積部から動画用信号を読み出す。また、読出し制御部が、第１の電荷蓄積部から静止画用信号をｎ回（ｎは２以上の整数）に分けて読み出すにあたって、静止画用信号の読出し期間よりも前または後のタイミングにおいて、第２の電荷蓄積部から動画用信号を読み出すよう制御する。そのため、画像を得るための一連の動作中に、ライブビュー用の画像の更新を行うことができる。
【００５７】
また、本実施形態では、画素２８が、静止画用のリセット信号および光信号を保持する電荷保持部ＦＤ１と、動画用のリセット信号および光信号を保持する電荷保持部ＦＤ２とを備えている。そのため、電荷保持部ＦＤ１から静止画用のリセット信号および光信号の読出しを完了する前に、光電変換部ＰＤの動画用の露光や、電荷保持部ＦＤ２から動画用のリセット信号および光信号の読出しを行うことができる。すなわち、静止画用のリセット信号および光信号の読出し前後にそれぞれ動画用のリセット信号および光信号の読出しを行い、静止画データを読出している間に動画データの読出しを同じフィールドから時系列で読み出すことが可能となる。
【００５８】
従って、グローバルシャッタ方式で静止画像を得るための一連の動作中に、グローバルシャッタ方式で動画用画像を複数枚得ることが可能となるため、画像を得るための一連の動作中に、ライブビュー用の画像の更新を行うことができる。さらに、グローバルシャッタ方式で静止画像と動画用画像とを取得することができるため、動画用画像を用いてモニタ画面上に表示する画像と、保存される静止画像との歪みによる相違を除去することができ、結果としてカメラシステム全体としてユーザーに快適な視認性と高速移動被写体の撮影を確保することが可能となる。
【００５９】
また、静止画用信号を読み出している期間では、動画用のための露光を行うよう制御することが好ましい。これにより、静止画用信号を読み出している期間は動画用のための露光を行うことで、効率よく光電変換部を動作させることができ、フレームレートを向上させることができる。
【００６０】
また、読出し制御部は、静止画用信号および動画用信号の転送元である光電変換部を共有するよう制御することが好ましい。また、光電変換部からの静止画用信号および動画用信号の読み出しを時系列的に重なることなく行うよう制御することが好ましい。これにより、光電変換部を共有するため回路規模増大の防止につながり、レイアウトサイズを縮小化することができる。
【００６１】
また、読出し制御部は、静止画用信号を複数回に分けて読み出す期間の前のタイミングにおいては、第２の電荷蓄積部から動画用信号としてのリセット信号を読み出す一方、静止画用信号を複数回に分けて読み出す期間の後のタイミングにおいては、第２の電荷蓄積部から動画用信号としての光信号を読み出すよう制御することが好ましい。これにより、リセット信号と光信号との差分信号から動画用画像を生成することでノイズを抑制することができる。
【００６２】
また、読出し制御部は、静止画用信号および動画用信号をフィールド毎に読み出すものであり、読出し制御部は、静止画用信号の読出し期間中に、ある特定のフィールドを静止画用信号として読み出す場合、その期間の前または後のタイミングにおいては、当該特定のフィールドを対象に動画用信号を読み出すよう制御することが好ましい。これにより、静止画用信号と動画用信号を同一のフィールドで読み出しを行うので、読み出し制御回路の簡素化と縮小化することができる。
【００６３】
また、読出し制御部は、静止画用信号を複数回に分けて読み出す期間の前のタイミングが、静止画用の露光期間終了後から静止画用信号の読出し期間の開始までに該当する場合、動画用信号としてのリセット信号を読み出すよう制御することが好ましい。これにより、グローバルシャッタ方式で差分するためのリセット信号を光信号よりも先に読み出しているためＫＴＣノイズを抑圧することができる。
【００６４】
また、読出し制御部は、静止画信号を読み出す期間どうしの合間に、動画用信号としてのリセット信号と光信号を読み出すよう制御することが好ましい。また、読出し制御部は、静止画信号を読み出す期間どうしの合間に、第１の読出しサイクル（動画用のリセット信号＋動画用の露光期間＋動画用の光信号）中での動画用の光信号と、第１の読出しサイクルの次の第２の読出しサイクル（動画用のリセット信号＋動画用の露光期間＋動画用の光信号）中での動画用のリセット信号とを読出すよう制御することが好ましい。これにより、静止画用信号の読出し期間の合間に、動画用信号としてのリセット信号と光信号とを読み出しているので、フレームレートを保持したまま静止画用信号と動画用信号とを共にグローバルシャッタ方式による撮影を行うことが実現可能となる。
【００６５】
また、静止画用信号と動画用信号とを共にグローバルシャッタ方式による撮影を行っているため、モニタ画面上に表示される動画用の画像と、保存される静止画像との歪みによる相違を除去することができ、結果としてカメラシステム全体としてユーザーに快適な視認性と高速移動被写体の撮影を確保することが可能となる。
【００６６】
なお、本発明のある態様に係る読出し制御装置は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し手段と、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御手段と、を備えることを特徴とする読出し制御装置であってもよい。
【００６７】
また、本発明のある態様に係る読出し制御装置は、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出す読出し手段と、前記第１の電荷蓄積部から前記静止画用信号をｎ回（ｎは２以上の整数）に分けて読み出す期間中において、動画用の露光を行うよう制御する読出し制御手段と、を備えることを特徴とする読出し制御装置であってもよい。
【００６８】
また、本発明のある態様に係る読出し制御装置は、撮像素子上に配置された複数の画素を複数のグループに区分し、その区分したグループ単位で、そのグループに属する画素から静止画用信号を読み出し、さらに、その静止画用信号を読み出す期間の合間において、前記画素から動画用信号を読み出す読出し手段と、前記静止画用信号の読出し期間よりも前のタイミングで動画用のリセット信号を読み出す一方、前記静止画用信号の読出し期間よりも後のタイミングで動画用の光信号を読み出すよう制御する読出し制御手段と、を備えることを特徴とする読出し制御装置であってもよい。
【００６９】
また、本発明のある態様に係る読出し制御装置は、撮像素子上に配置された複数の画素を複数のグループに区分し、その区分したグループ単位で、そのグループに属する画素から静止画用信号を読み出し、さらに、その静止画用信号を読み出す期間の合間において、前記画素から動画用信号を読み出す読出し手段と、前記静止画用信号の読出し期間中に、動画用の露光を行うよう制御する読出し制御手段と、を備えることを特徴とする読出し制御装置であってもよい。
【００７０】
また、本発明のある態様に係る撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し手段と、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御する読出し制御手段と、を備えることを特徴とする撮像装置（あるいは固体撮像装置）であってもよい。
【００７１】
また、本発明のある態様に係る撮像装置は、複数の電荷蓄積部を備えた画素を複数有する画素部と、前記画素内に設けられた前記複数の電荷蓄積部のうちの第１の電荷蓄積部から静止画用信号を読み出す一方、前記複数の電荷蓄積部のうちの第２の電荷蓄積部から動画用信号を読み出す読出し手段と、前記第１の電荷蓄積部から前記静止画用信号をｎ回（ｎは２以上の整数）に分けて読み出す期間中において、動画用の露光を行うよう制御する読出し制御手段と、を備えることを特徴とする撮像装置（あるいは固体撮像装置）であってもよい。
【００７２】
以上、本発明を実施の形態をもとに説明したが、各構成要素や各処理プロセスの任意の組合せ、本発明の表現をコンピュータプログラムプロダクトなどに変換したものもまた、本発明の態様として有効である。ここで、コンピュータプログラムプロダクトとは、プログラムコードが記録された記録媒体（ＤＶＤ媒体、ハードディスク媒体、メモリ媒体など）、プログラムコードが記録されたコンピュータ、プログラムコードが記録されたインターネットシステム（例えば、サーバとクライアント端末を含むシステム）など、プログラムコードが組み込まれた記録媒体、装置、機器やシステムをいう。この場合、上述した各構成要素や各処理プロセスは各モジュールで実装され、その実装されたモジュールからなるプログラムコードはコンピュータプログラムプロダクト内に記録される。
【００７３】
また、本発明のある態様に係るコンピュータプログラムプロダクトは、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出すモジュールと、前記第１の電荷蓄積部から前記静止画用信号をｎ回（ｎは２以上の整数）に分けて読み出すにあたって、前記静止画用信号の読出し期間よりも前または後のタイミングにおいて、前記第２の電荷蓄積部から動画用信号を読み出すよう制御するモジュールと、を含むことを特徴とするコンピュータプログラムプロダクトであってもよい。
【００７４】
また、本発明のある態様に係るコンピュータプログラムプロダクトは、撮像素子上に配置された各画素内に設けられた複数の電荷蓄積部のうちの第１の電荷蓄積部から静止画用信号を読み出す一方、前記複数の電荷蓄積部のうちの第２の電荷蓄積部から動画用信号を読み出すモジュールと、前記第１の電荷蓄積部から前記静止画用信号をｎ回（ｎは２以上の整数）に分けて読み出す期間中において、動画用の露光を行うよう制御するモジュールと、を含むことを特徴とするコンピュータプログラムプロダクトであってもよい。
【００７５】
また、上述した本実施形態における撮像装置１０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００７６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７７】
以上、この発明の実施形態について図面を参照して詳述してきたが、具体的な構成はこの実施形態に限られるものではなく、この発明の要旨を逸脱しない範囲の設計等も含まれる。例えば、本実施形態では、フィールドの数が３つの例を用いて説明したが、これに限らず、フィールドの数は２つ以上であればよい。
【００７８】
従って、本発明の範囲は、上記の説明を参照して決められるものではなく、請求項により決められるべきであり、均等物の全範囲も含まれる。上記の説明で述べた特徴はいずれも、好ましいかどうかを問わず、他の特徴と組み合わせてもよい。また、請求項において、明示的に断らない限り、各構成要素は１またはそれ以上の数量である。また、請求項において、「〜のための手段」のような語句を用いて明示的に記載する場合を除いて、請求項がミーンズ・プラス・ファンクションの限定を含むものと解してはならない。
【符号の説明】
【００７９】
１・・・レンズ、２・・・撮像部、３・・・画像処理部、３ａ・・・第１画像処理部、３ｂ・・・第２画像処理部、４・・・表示部、５・・・メモリーカード、６・・・駆動制御部、７・・・レンズ制御部、８・・・カメラ制御部、９・・・カメラ操作部、１０・・・撮像装置、２１・・・撮像素子、２２・・・ＡＤ変換部、２３・・・ノイズ除去部、２４・・・画素部、２５・・・列処理回路、２６・・・垂直制御回路、２７・・・水平走査回路、２８・・・画素、２８１，２８２・・・画素内回路
【図１】
0005624804.tif 000002
【図２】
0005624804.tif 000003
【図３】
0005624804.tif 000004
【図４】
0005624804.tif 000005
【図５】
0005624804.tif 000006
【図６】
0005624804.tif 000007
【図７】
0005624804.tif 000008